(57)【特許請求の範囲】
【請求項１】
基材上の同一の印刷領域内に、第１のハーフトーン領域と第２のハーフトーン領域とが重なり合うことなく均等に隣接するように複数配置されて可視画像と潜像画像が形成された印刷物であって、
前記第１のハーフトーン領域は、前記潜像画像の一部のみを形成する第１の網点部又は第１の背景部のいずれか一方と、前記第１の網点部又は前記第１の背景部の前記一方と隣接する位置に、前記可視画像及び前記潜像画像の一部を形成する前記第１の網点部又は前記第１の背景部の他方とを有し、
前記第１の網点部又は前記第１の背景部の前記一方は、ランタノイド系希土類化合物を含有し、かつ、通常光下で前記基材と等色の第１の色材又は透明の第１の色材により形成され、
前記第１の網点部又は前記第１の背景部の前記他方は、ランタノイド系希土類化合物を含有せず通常光下において前記基材とは異なる色であり、かつ、前記第１の色材を三波長光源下で観察した場合の色と等色となる第２の色材により形成され、
前記第２のハーフトーン領域は、前記第１の色材により前記第１のハーフトーン領域とともに前記潜像画像を形成する第２の網点部を有し、
前記印刷物を通常光下で観察すると、前記第１の色材により形成された前記第１の網点部又は前記第１の背景部の前記一方及び前記第２の網点部は、前記基材と等色又は透明として観察されることで、前記第２の色材により形成された前記第１の網点部又は前記第１の背景部の前記他方により形成された前記可視画像が観察され、
前記印刷物をカラー複写機で複写すると、前記可視画像と異なる前記潜像画像が出現することを特徴とする潜像画像を有する印刷物。
【請求項２】
前記第２のハーフトーン領域は、前記第２の網点部と隣接する位置に第２の背景部を更に有し、
前記第２の背景部は、ランタノイド系希土類化合物を含まず、かつ、通常光下において前記第１の色材と等色の第３の色材により、前記第２の網点部の濃度及び色相と、前記基材の隠ぺい率に合わせた網点面積率で形成されたことにより、通常光下において前記第２の網点部と等色として観察されることを特徴とする請求項１記載の潜像画像を有する印刷物。
【請求項３】
前記第１のハーフトーン領域に形成された前記第１の網点部の面積が異なることで階調を有する前記可視画像が形成され、前記第２のハーフトーン領域に形成された前記第２の網点部の面積が異なることで階調を有する前記潜像画像が形成されたことを特徴とする請求項１又は２記載の潜像画像を有する印刷物。
【請求項４】
前記第２のハーフトーン領域における前記第２の網点部は、各々の前記第２のハーフトーン領域の中心を除く外周領域に形成されたことを特徴とする請求項１乃至３のいずれか一項に記載の潜像画像を有する印刷物。
【請求項５】
ランタノイド系希土類化合物を含有する基材上に、前記ランタノイド系希土類化合物を含有せず、かつ、前記基材を通常光下から三波長光源下へ観察条件を変えても所定の値以上の色変化をさせない隠ぺい材料から成る隠ぺい層と、前記隠ぺい層の上に、少なくとも二つの色材により形成された画像形成層とを有することで、可視画像と潜像画像が形成された印刷物であって、
前記隠ぺい層は、前記基材を隠ぺいする隠ぺい材料を施した複数の第１の隠ぺい領域及び複数の第２の隠ぺい領域を有し、
前記複数の第１の隠ぺい領域は、前記基材を隠ぺいする隠ぺい材料のみを施した第１の隠ぺい領域及び前記基材を一部露出させる隠ぺい材料を施さない領域を有する第１の隠ぺい領域から成り、
前記複数の第２の隠ぺい領域は、前記基材を隠ぺいする隠ぺい材料のみを施した第２の隠ぺい領域及び前記基材を一部露出させる隠ぺい材料を施さない領域を有する第２の隠ぺい領域から成り、
前記画像形成層は、同一の印刷領域内に、隣接する第１のハーフトーン領域と第２のハーフトーン領域とが重なり合うことなく均等に複数配置され、
前記第１のハーフトーン領域は前記第１の隠ぺい領域と同一形状であり、かつ、同じ位置に配置され、
前記潜像画像の一部のみを形成する第１の網点部又は第１の背景部のいずれか一方と、前記第１の網点部又は前記第１の背景部の前記一方と隣接する位置に、前記可視画像及び前記潜像画像の一部を形成する前記第１の網点部又は前記第１の背景部の他方とを有し、
前記第１の網点部又は前記第１の背景部の前記一方は、前記第１の隠ぺい領域における前記隠ぺい材料が施されない領域と同一形状であり、かつ、同じ位置に配置されたことで前記基材を一部露出して形成され、
前記第１の網点部又は前記第１の背景部の前記他方は、前記第１の隠ぺい領域における前記隠ぺい材料を施す領域と同一形状であり、かつ、同じ位置に配置され、
前記第１の網点部又は前記第１の背景部の前記他方を形成する色材は、ランタノイド系希土類化合物を含有せず通常光下において前記基材とは異なる色であり、かつ、三波長光源下で観察した場合に前記基材と等色となる第２の色材であり、
前記第２のハーフトーン領域は前記第２の隠ぺい領域と同一形状であり、かつ、同じ位置に配置され、
前記潜像画像の一部を形成する第２の網点部又は第２の背景部のいずれか一方と、前記第２の網点部又は前記第２の背景部の前記一方と隣接する位置に、前記潜像画像の背景を形成する前記第２の網点部又は前記第２の背景部の他方とを有し、
前記第２の網点部又は前記第２の背景部の前記一方は、前記第２の隠ぺい領域における前記隠ぺい材料が施されない領域と同一形状であり、かつ、同じ位置に配置されたことで前記基材を一部露出して形成され、
前記第２の網点部又は前記第２の背景部の前記他方は、前記第２の隠ぺい領域における前記隠ぺい材料を施す領域と同一形状であり、かつ、同じ位置に配置され、
前記第２の網点部又は前記第２の背景部の前記他方を形成する色材は、ランタノイド系希土類化合物を含有せず、かつ、前記基材を通常光下で観察した場合に前記基材と等色となる第３の色材であり、
前記印刷物を通常光下で観察すると、前記基材を一部露出することにより形成された前記第１の網点部又は前記第１の背景部の前記一方と、前記基材を一部露出することにより形成された前記第２の網点部又は前記第２の背景部の前記他方、及び前記第３の色材により形成された前記第２の網点部又は前記第２の背景部の前記他方とが等色として観察されることで、前記第２の色材により形成された前記第１の網点部又は前記第１の背景部の前記他方により形成された可視画像が観察され、
前記印刷物をカラー複写機で複写すると、前記可視画像と異なる前記潜像画像が出現することを特徴とする潜像画像を有する印刷物。
【発明の詳細な説明】
【技術分野】
【０００１】
本発明は、紙幣、旅券、有価証券、カード及び貴重印刷物等の偽造防止及び改ざん防止機能が必要とされる潜像画像を有する印刷物に関するものである。
【背景技術】
【０００２】
近年、カラー複写機の高機能化及び高画質化に伴い、紙幣及び有価証券等の貴重印刷物の偽造品が出回り、深刻な問題となっている。そのため、従来から貴重印刷物には、複写機では再現することが困難な機能性インキや、網点構成から成る画像が多く用いられている。
【０００３】
機能性インキを用いた印刷物としては、ランタノイド系希土類化合物を含むインキで印刷された印刷物がある（例えば、特許文献１参照。）。ランタノイド系希土類化合物とは、可視光領域において４６０ｎｍ、５４０ｎｍ及び６５０ｎｍ付近に主要な吸収ピークを有する組成物であるため、三波長光源下以外においては、薄い黄色として視認され、三波長蛍光灯を照射すると、濃い桃色として視認される。
【０００４】
前述の特許文献１の印刷物においては、偽造防止印刷部としてランタノイド系希土類化合物を含むインキをベタ印刷することで形成し、色合わせ印刷部として偽造防止印刷部と同色のインキをベタ印刷することで形成する。この印刷物を通常光下で観察すると、偽造防止印刷部及び色合わせ部は、単色のベタ印刷領域として視認されるが、三波長蛍光灯を照射することで、色合わせ印刷部のみが変色し、異なる色のベタ印刷領域として視認され、その色変化の有無により真偽判別を行うものである。
【０００５】
また、複製が困難な網点構成として、本出願人は、二つの異なる画像を同一平面上に網点画像として均等に配置する場合において、一般の商業印刷で使用されているシアン（Ｃ）、マゼンタ（Ｍ）、イエロー（Ｙ）及びブラック（Ｂｋ）の基本インキを用いて、通常光下で観察される可視画像と、赤外線光下で観察される潜像画像を生成した網点印刷物について出願している（例えば、特許文献２参照。）。
【０００６】
この印刷物は、一般の商業印刷で使用されているシアン（Ｃ）、マゼンタ（Ｍ）及びイエロー（Ｙ）が赤外線吸収特性を有しないため、これらを重ね合わせた混色ブラックと、紫外線領域から赤外線領域までの全域にわたり吸収を示すカーボンブラックを主体としたブラック（Ｂｋ）を用いて可視画像及び潜像画像を形成する網点を配置している。
【０００７】
前述のシアン（Ｃ）、マゼンタ（Ｍ）、イエロー（Ｙ）及びブラック（Ｂｋ）を用いて所定の配置規則に基づき印刷された網点印刷物は、通常光下で視認することができる可視画像内に、赤外線カメラ等の鑑定装置を用いて観察することができる潜像画像を埋め込むことができる。当該網点印刷物は、特殊なインキを用いる必要がないため、安価に作製することが可能であり、現在の写真製版装置での複製が不可能であることから、偽造防止効果に優れる。
【０００８】
また、本出願人は、潜像画像を形成する機能性材料として、サーモクロミックインキを用い、第１のハーフトーン領域及び第２のハーフトーン領域に形成する背景部をサーモクロミックインキによって形成し、第１のハーフトーン領域の画像部を、サーモクロミックインキが低温状態のときの色と略等色のインキによって形成し、第２のハーフトーン領域の画像部を、サーモクロミックインキが高温状態のときの色と略等色のインキにより形成することで、低温状態では第２のハーフトーン領域の画像部のみが、他の領域の色と異なることで第１の画像として可視化され、高温状態では、第１のハーフトーン領域の画像部のみが他の領域の色と異なることで第２の画像として可視化される画像表示体について出願している（例えば、特許文献３参照）。
【先行技術文献】
【特許文献】
【０００９】
【特許文献１】特許第４３７８７８９号公報
【特許文献２】特許第３５４４５３６号公報
【特許文献３】特開２００８−１２６４７４号公報
【発明の概要】
【発明が解決しようとする課題】
【００１０】
しかしながら、特許文献１に開示されている印刷物は、偽造防止印刷部と色合わせ部を、別々のベタ領域として形成し、三波長蛍光灯を照射した際の変色の有無により真偽判別を行っている。そのことから、基材上に付与する際には、各印刷部を、同一領域に重なるようなデザインで作製することが困難であり、デザイン上の制約を受けるという問題がある。
【００１１】
また、特許文献２において開示された技術を用いて作製した印刷物を、カラー複写機を用いて複製することで得られる偽造品は、肉眼では、真正品と区別することができず、例えば、銀行及び入国管理審査等の各種窓口業務における検査担当者が、赤外線カメラ等の鑑定装置を用いて当該印刷物を照射した際の、潜像画像の有無又は変色の有無により、初めて偽造品であることを確認することが可能となる。よって、各種窓口業務では、偽造防止技術に併せた鑑定装置を適宜準備する必要がある。
【００１２】
また、鑑定装置を用いているが、いずれも検査担当者が目視検査により確認することから、見落とす可能性があるという問題がある。そこで、各種窓口業務では、検査担当者が鑑定装置を用いることなく、目視により瞬時にカラー複写機を用いて複製した偽造品であることを判別することが可能な偽造防止印刷物が求められている。
【００１３】
また、特許文献３に開示されている印刷物は、真正品の印刷物に対する偽造防止抵抗力は極めて高いものの、印刷物に温度変化を与えることで可視画像から潜像模様へと画像をスイッチさせることを目的としているため、特許文献２と同様に、カラー複写機を用いて複製された偽造品を判別するためには、製品に対して潜像画像を観察することができる所定の温度にしなければならない。そのため、瞬時に真正品であるか偽造品であるかを判別することができないという課題が残されていた。
【００１４】
本発明は、上記課題の解決を目的とするものであり、カラー複写機を用いて偽造品を作製した際に、真正品と複写物で全く異なる画像を出現させることで、瞬時に偽造品であることを判別することができ、かつ、デザイン上の制約を受けることのない潜像画像を有する印刷物を提供することにある。
【課題を解決するための手段】
【００１５】
本発明の潜像画像を有する印刷物は、基材上に、第１のハーフトーン領域と第２のハーフトーン領域とが隣接するように複数配置されて可視画像と潜像画像が形成された印刷物であって、第１のハーフトーン領域は、潜像画像の一部のみを形成する第１の網点部又は第１の背景部のいずれか一方と、第１の網点部又は第１の背景部のいずれか一方と隣接する位置に、可視画像及び潜像画像の一部を形成する第１の網点部又は第１の背景部の他方とを有し、第１の網点部又は第１の背景部の一方は、ランタノイド系希土類化合物を含有し、かつ、基材と等色の第１の色材又は透明の第１の色材により形成され、第１の網点部又は第１の背景部の他方は、ランタノイド系希土類化合物を含有せず通常光下において基材とは異なる色であり、かつ、第１の色材を三波長光源下で観察した場合の色と等色となる第２の色材により形成され、第２のハーフトーン領域は、第１の色材により第１のハーフトーン領域とともに潜像画像を形成する第２の網点部を有し、印刷物を通常光下で観察すると、第１の色材により形成された第１の網点部又は第１の背景部のいずれか一方及び第２の網点部は、基材と等色又は透明として観察されることで、第２の色材により形成された第１の網点部又は第１の背景部の他方により形成された可視画像が観察され、印刷物をカラー複写機で複写すると、可視画像と異なる潜像画像が出現することを特徴とする潜像画像を有する印刷物である。
【００１６】
また、本発明の潜像画像を有する印刷物における第２のハーフトーン領域は、第２の網点部と隣接する位置に第２の背景部を更に有し、第２の背景部は、ランタノイド系希土類化合物を含まず、かつ、通常光下において第１の色材と等色の第３の色材により、第２の網点部の濃度及び色相と、基材の隠ぺい率に合わせた網点面積率で形成されたことにより、通常光下において第２の網点部と等色として観察されることを特徴とする潜像画像を有する印刷物である。
【００１７】
また、本発明の潜像画像を有する印刷物は、第１のハーフトーン領域に形成された第１の網点部の面積が異なることで階調を有する可視画像が形成され、第２のハーフトーン領域に形成された第２の網点部の面積が異なることで階調を有する潜像画像が形成されたことを特徴とする潜像画像を有する印刷物である。
【００１８】
また、第２のハーフトーン領域における第２の網点部は、各々の第２のハーフトーン領域の中心を除く外周領域に形成されたことを特徴とする潜像画像を有する印刷物である。
【００１９】
また、本発明の潜像画像を有する印刷物は、ランタノイド系希土類化合物を含有する基材上に、ランタノイド系希土類化合物を含有せず、かつ、基材を通常光下から三波長光源下へ観察条件を変えても所定の値以上の色変化をさせない隠ぺい材料から成る隠ぺい層と、隠ぺい層の上に、少なくとも二つの色材により形成された画像形成層とを有することで、可視画像と潜像画像が形成された印刷物であって、隠ぺい層は、基材を隠ぺいする隠ぺい材料を施した第１の隠ぺい領域及び第２の隠ぺい領域を複数有し、複数の第１の隠ぺい領域は、基材を隠ぺいする隠ぺい材料のみを施した第１の隠ぺい領域及び基材を一部露出させる隠ぺい材料を施さない領域を有する第１の隠ぺい領域から成り、複数の第２の隠ぺい領域は、基材を隠ぺいする隠ぺい材料のみを施した第２の隠ぺい領域及び基材を一部露出させる隠ぺい材料を施さない領域を有する第２の隠ぺい領域から成り、画像形成層は、第１のハーフトーン領域と第２のハーフトーン領域とが隣接するように複数配置され、第１のハーフトーン領域は第１の隠ぺい領域と同一形状であり、かつ、同じ位置に配置され、潜像画像の一部のみを形成する第１の網点部又は第１の背景部のいずれか一方と、第１の網点部又は第１の背景部のいずれか一方と隣接する位置に、可視画像及び潜像画像の一部を形成する第１の網点部又は第１の背景部の他方とを有し、第１の網点部又は第１の背景部の一方は、第１の隠ぺい領域における隠ぺい材料が施されない領域と同一形状であり、かつ、同じ位置に配置されたことで基材を一部露出して形成され、第１の網点部又は第１の背景部の他方は、第１の隠ぺい領域における隠ぺい材料を施す領域と同一形状であり、かつ、同じ位置に配置され、第１の網点部又は第１の背景部の他方を形成する色材は、ランタノイド系希土類化合物を含有せず通常光下において基材とは異なる色であり、かつ、基材を三波長光源下で観察した場合に等色となる第２の色材であり、第２のハーフトーン領域は第２の隠ぺい領域と同一形状であり、かつ、同じ位置に配置され、潜像画像の一部を形成する第２の網点部又は第２の背景部のいずれか一方と、第２の網点部又は第２の背景部のいずれか一方と隣接する位置に、潜像画像の背景を形成する第２の網点部又は第２の背景部の他方とを有し、第２の網点部又は第２の背景部の一方は、第２の隠ぺい領域における隠ぺい材料が施されない領域と同一形状であり、かつ、同じ位置に配置されたことで基材を一部露出して形成され、第２の網点部又は第２の背景部の他方は、第２の隠ぺい領域における隠ぺい材料を施す領域と同一形状であり、かつ、同じ位置に配置され、第２の網点部又は第２の背景部の他方を形成する色材は、ランタノイド系希土類化合物を含有せず、かつ、基材を通常光下で観察した場合に等色となる第３の色材であり、印刷物を通常光下で観察すると、基材を一部露出することにより形成された第１の網点部又は第１の背景部の一方と、基材を一部露出することにより形成された第２の網点部又は第２の背景部の他方、及び第３の色材により形成された第２の網点部又は第２の背景部の他方とが等色として観察されることで、第２の色材により形成された第１の網点部又は第１の背景部の他方により形成された可視画像が観察され、印刷物をカラー複写機で複写すると、可視画像と異なる潜像画像が出現することを特徴とする潜像画像を有する印刷物である。
【００２０】
また、本発明の潜像画像を有する印刷物の作製方法は、データを入力する入力部、入力されたデータを処理する処理部、入力されたデータ及び処理されたデータを与えられて記憶する記憶部、データを出力する出力部を備えた印刷機を用いて、前述した潜像画像を有する印刷物を作製する方法であって、可視画像に対応する第１の画像データを入力部から入力し、あるいは処理部において作製するステップと、第１のハーフトーン領域に含まれる第１の網点部及び第１の背景部の位置、形状及び寸法を、可視画像を表現するように第１のハーフトーン領域のデータを処理部において網点化された可視画像として作製し、記憶部に格納するステップと、潜像画像に対応する第２の画像データを入力部より入力し、あるいは処理部において作製するステップと、複数の第２のハーフトーン領域のそれぞれの位置、形状及び寸法、またそれぞれの第２のハーフトーン領域に含まれる第２の網点部の位置、形状及び寸法に関するマスクデータを入力部から入力し、あるいは処理部において作製するステップと、第２の画像データに対しマスクデータを用いてマスク処理を行い、第２の画像要素が潜像画像を表現するように第２のハーフトーン領域のデータを処理部において網点化された潜像画像を作製し、記憶部に格納するステップと、第１のハーフトーン領域のデータと第２のハーフトーン領域のデータとを合成した印刷物のデータを処理部において作製するステップと、処理部で作製された印刷物のデータを出力部から出力するステップとを備えることを特徴とする潜像画像を有する印刷物の作製方法である。
【００２１】
また、本発明の潜像画像を有する印刷物の作製方法は、第２のハーフトーン領域に第２の背景部を形成する場合の第２のハーフトーン領域のデータを作製するステップにおいて、第１の色材により形成された第２の網点部の隠ぺい率、濃度及び色相のデータを入力部から入力し、入力されたデータを基に第２の網点部と第２の背景部を通常光下において等色として視認させるため、第３の色材により第２の背景部を形成する網点面積率を決定するステップを更に有することを特徴とする潜像画像を有する印刷物の作製方法である。
【発明の効果】
【００２２】
本発明の潜像画像を有する印刷物は、通常光下では可視画像を視認することができ、かつ、印刷物をカラー複写機により複写した際には、出力物において、可視画像と全く異なる潜像画像が出現する、いわゆる、画像のスイッチ効果を有する印刷物を提供することができる。よって、作製した偽造品は、可視画像が全く異なる潜像画像にスイッチしているため、各種窓口へ持っていくことすらできない。仮に、持って行った場合において、検査担当者は、異なる画像が出現していることから、鑑定装置を用いずに、目視により瞬時に偽造品であることを判別することが可能となり、従来の複写防止印刷物と比較して、複写牽制機能が向上した印刷物となる。
【００２３】
また、本発明の潜像画像を有する印刷物は、特殊な網点構成により作製しているため、二つの画像を同一領域内に重なるようなデザインで作製することが容易であり、デザイン上の制約を受けることがなく、更には、偽造品を作製するために、各インキにより作製した領域を解析し、各版面を作製することは極めて困難であることから、格別の効果を奏する。
【図面の簡単な説明】
【００２４】
【図１】本発明の潜像模様を有する印刷物における網点構成の一例を示す図
【図２】可視画像を形成する網点構成及び可視画像を示す図
【図３】潜像画像を形成する網点構成及び潜像画像を示す図
【図４】第１の網点部及び第２の網点部の形状の一例を示す図
【図５】第１の実施の形態における印刷物の作製に用いられる装置の構成を示すブロック図
【図６】第１の実施の形態における印刷物を作製する方法における手順を示すフローチャート
【図７】マスクデータを示す模式図
【図８】マスク処理を示す模式図
【図９】第１の実施の形態における印刷物を通常光下で観察した際に可視状態上に潜像画像が出現した状態を示す説明図
【図１０】第２の実施の形態の印刷物における網点構成の一例を示す図
【図１１】第２の実施の形態における第２のハーフトーン領域を作製する手順を示すフローチャート
【図１２】第３の実施の形態における印刷物の可視画像を形成する網点構成及び可視画像を示す図
【図１３】第３の実施の形態における印刷物の潜像画像を形成する網点構成及び潜像画像を示す図
【図１４】第４の実施の形態の印刷物における網点構成を示す断面図
【図１５】第１のハーフトーン領域３と第２のハーフトーン領域４の大きさの関係を示す拡大図
【発明を実施するための形態】
【００２５】
本発明を実施するための形態について、図面を参照して説明する。しかしながら、本発明は、以下に述べる実施するための形態に限定されるものではなく、特許請求の範囲記載における技術的思想の範囲内であれば、その他のいろいろな実施の形態が含まれる。
【００２６】
（第１の実施の形態）
本発明の潜像画像を有する印刷物（以下「印刷物」という。）は、通常光下で観察される画像（以下「可視画像」という。）と、印刷物をカラー複写機により複写した複写物（以下「複写物」という。）に出現する画像（以下「潜像画像」という。）が全く異なる画像へとスイッチする印刷物であり、可視画像を形成する複数の第１のハーフトーン領域と潜像画像を形成する複数の第２のハーフトーン領域を重なり合うことなく均等に配置することで、二つの独立した画像を形成する領域が同一の印刷領域内に形成されたものである。
【００２７】
本発明の潜像画像は、ランタノイド系希土類化合物を含有し、かつ、通常光下で透明の色材又は基材と等色（以下「第１の色」という。）の第１の色材と、第１の色材を三波長光源下で観察した場合の色（以下「第２の色」という。）と等色であり、ランタノイド系希土類化合物を含有しない第２の色材を用いて第１のハーフトーン領域における第１の網点部及び第１の背景部と、第２のハーフトーン領域における第２の網点部を第１の色材で形成することで、通常光下で観察される可視画像と、印刷物をカラー複写機で複写した複写物に出現する可視画像と異なる潜像画像を有する印刷物である。
【００２８】
ランタノイド系希土類化合物は、可視光領域において４６０ｎｍ、５４０ｎｍ及び６５０ｎｍ付近に主要な吸収ピークを有する組成物であるため、通常光下においては、透明として視認され、三波長光源下では、色が変化して視認される。一般的なカラー複写機においては、光源に三波長蛍光灯を用いているため、三波長光源等を照射した際に色が変化するランタノイド系希土類化合物を含有する色材を用いて潜像画像を形成することで、複写物に潜像画像を出現させることが可能となる。
【００２９】
ランタノイド系希土類化合物としては、Ｌａ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ及びＬｕから選択されるランタノイド系希土類元素を含む化合物であれば良いが、特に、通常光下において透明で、かつ、カラー複写機で複写された場合に赤色（濃い桃色）に変化するＨｏ２Ｏ３が好ましい。
【００３０】
また、本発明の網点構成を形成する色材としては、公知のグラビアインキ、スクリーンインキ、プロセスインキ、インクジェットプリンタ用インク等を使用することができる。また、基材２にそれぞれの領域を形成する方法としては、オフセット印刷方式、グラビア印刷方式、スクリーン印刷方式、フレキソ印刷方式、インクジェットプリンタ、レーザプリンタ等、特に限定されるものではない。
【００３１】
図１（ａ）は、図１（ｂ）に示す第１の実施の形態における印刷物１の網点構成の一部を拡大した図であり、基材２上に第１のハーフトーン領域３と第２のハーフトーン領域４とが隣接するように複数配置されている。図１（ｂ）は、第１のハーフトーン領域３と第２のハーフトーン領域４により、可視画像と潜像画像が形成された印刷物１である。
【００３２】
第１のハーフトーン領域３は、潜像画像の一部のみを形成する第１の網点部３ａ又は第１の背景部３ｂのいずれか一方と、可視画像及び潜像画像の一部を形成する第１の網点部３ａ又は第１の背景部３ｂの他方とを有する。第１の網点部３ａ又は第１の背景部３ｂのいずれか一方は、第１の色材により形成され、他方は、第２の色材により形成される。以下、第１の実施の形態においては、一例として、第１のハーフトーン領域３は、潜像画像の一部及び可視画像を形成する第１の網点部３ａと、第１の網点部３ａと隣接する位置に潜像画像の一部のみを形成する第１の背景部３ｂとを有し、第１の網点部３ａは、第２の色材により形成され、第１の背景部３ｂは、第１の色材により形成されている場合について説明する。
【００３３】
第２のハーフトーン領域４は、ランタノイド系希土類化合物を含有し、かつ、通常光下で透明の第１の色材又は基材２と等色の第１の色材により、潜像画像の一部を形成する第２の網点部４ａを有する。第２の網点部４ａが透明又は基材２と等色の第１の色材により形成されているため、第１の実施の形態における印刷物１では、第２のハーフトーン領域４における第２の網点部４ａを除く領域に印刷を行わない、いわゆる、基材２表面が露出した状態としている。なお、本発明における透明の色材とは、第２のハーフトーン領域４に形成された第２の網点部４ａが通常光下で観察されない構成であれば、無色透明の色材又は有色透明の色材のどちらでも良い。
【００３４】
本発明の印刷物１において観察される可視画像５と潜像画像６について、図２及び図３を用いて説明する。図２（ａ）は、印刷物１を通常光下で観察した場合に観察される網点構成を拡大したものであり、第２のハーフトーン領域４に形成された第２の網点部４ａは、ランタノイド系希土類化合物を含有し、かつ、通常光下で透明又は基材２と等色の第１の色材により形成されているため、第２のハーフトーン領域４内において第２の網点部４ａが形成されていない、いわゆる、基材２表面と第２の網点部４ａに色差が生じないことから、第２の網点部４ａが観察されない状態である。
【００３５】
第１のハーフトーン領域３における第１の網点部３ａは、第２の色を有する第２の色材により形成し、第１の背景部３ｂを第１の色材により形成したものである。この印刷物１を通常光下で観察した場合、第１の色材により形成された、第１のハーフトーン領域３における第１の背景部３ｂと第２のハーフトーン領域４における第２の網点部４ａは、いずれも基材２と等色として観察されるため、第１のハーフトーン領域３における第１の背景部３ｂと第２のハーフトーン領域４は、等色として観察される。一方、第１のハーフトーン領域３における第１の網点部３ａは、第２の色を有する第２の色材により形成しているため、図２（ｂ）に示すように、第１のハーフトーン領域３における第１の網点部３ａにより形成された可視画像５が観察される。なお、図２においては、第１の網点部３ａの面積が同一であることから、形成される可視画像５は階調を有しない画像であるが、複数の第１の網点部３ａの面積を、各々異ならせることにより階調を有する可視画像５を形成することも可能である。
【００３６】
図３（ａ）は、前述の印刷物１をカラー複写機で複写した複写物８における網点構成を拡大したものであり、第１のハーフトーン領域３における第１の背景部３ｂ及び第２のハーフトーン領域４における第２の網点部４ａは、第１の色材の変色効果により、第２の色へと変化する。また、第１のハーフトーン領域３における第１の網点部３ａは、ランタノイド系希土類化合物を含有しない第２の色材により形成されているため、複写物８においても色変化することなく、第２の色として観察される。よって、図３（ｂ）のように、第２の網点部４ａ、第１の網点部３ａ及び第１の背景部３ｂが等色として観察されることから、第２のハーフトーン領域４における第２の網点部４ａを除く領域である、いわゆる、基材２表面が露出した領域により形成された可視画像５と全く異なる潜像画像６が観察される。なお、図３においては、第２の網点部４ａの面積が同一であることから、形成される潜像画像６は階調を有しない画像であるが、複数の第２の網点部４ａの面積を、各々異ならせることにより階調を有する潜像画像６を形成することも可能である。
【００３７】
本発明における等色とは、色差ΔＥが６未満のことを指し、色差とは、ＣＩＥ１９７６Ｌ＊ａ＊ｂ＊表色系のΔＥで定義するものとする。ＣＩＥ１９７６Ｌ＊ａ＊ｂ＊表色系とは、ＣＩＥ（国際照明委員会）が１９７６年に推奨した色空間のことであり、日本工業規格では、ＪＩＳ  Ｚ  ８７２９に規定されている。色差は、ある二色の色空間中における距離のことであり、ＣＩＥ１９７６Ｌ＊ａ＊ｂ＊表色系での色差は、二色のＬ＊の差、ａ＊の差、及びｂ＊の差をそれぞれ二乗して加え、その平方根をとることで求めることができる。
【００３８】
一般的に、色差ΔＥが６前後の場合においては、異なった色として視認される可能性がある。ただし、本発明においては、第１のハーフトーン領域３及び第２のハーフトーン領域４は、肉眼ではそれぞれの領域を区別して視認することができない微細な網点を有する領域である。そのことから、前述のとおり、色差ΔＥが６未満であれば、通常光下において、透明又は基材と等色の第１の色材により形成された第２のハーフトーン領域４における第２の網点部４ａと、第２の網点部４ａを除く領域である、いわゆる、基材２表面の色を区別することができず、第２のハーフトーン領域４内において基材２と第２の網点部４ａに色差が生じないことから、第２の網点部４ａが観察されない状態として視認される。また、印刷物１をカラー複写機により複写した複写物８の第１のハーフトーン領域３における第１の網点部３ａ及び第１の背景部３ｂについても、ΔＥが６未満であるため、等色として視認される。
【００３９】
一方、ランタノイド系希土類化合物を含有する第１の色材によって形成された第２の網点部４ａ及び第１の背景部３ｂは、カラー複写機により複写した複写物８において、第２のハーフトーン領域４における第２の網点部４ａを除く、いわゆる、基材２表面が露出した領域とは異なる色であり、かつ、第１のハーフトーン領域３における第１の網点部３ａと等色の第２の色へと変化した状態として視認される。なお、本発明における異なる色とは、色差ΔＥが６以上のことを指し、第１の色材と第２の色材を通常光下で観察した場合の第１の色及び第２の色の関係が、前述した色差ΔＥが６以上となる。また、第１の色材により形成された領域と第２の色材により形成された領域を、三波長光源下で観察した場合の色をΔＥ６未満とする。以上の等色又は異なる色の関係を満足させることで、通常光下で観察される可視画像５と複写物８に出現する潜像画像６を全く異なる画像として視認することができる。
【００４０】
また、本発明の印刷物１における第１の網点部３ａ及び第２の網点部４ａは、図４（ａ）のように、各々のハーフトーン領域の中心に形成された例で説明しているが、図４（ｂ）のように、各々のハーフトーン領域の中心を除く外周領域である、いわゆる、反転円形状として形成することや、図４（ｃ）のように、各々のハーフトーン領域を２つ以上に分割して形成することも可能であり、これらの配置としても同様の効果を得る。
【００４１】
次に、本実施の形態による印刷物１の作製に用いられる装置について、その構成を示した図５を用いて説明する。この作製装置は、入力部４０１、処理部４０２、記憶部４０３及び出力部４０４を備えている。入力部４０１は、本実施の形態の印刷物１の作製に必要なデータを入力し、処理部４０２に与える。処理部４０２は、与えられたデータを記憶部４０３に格納するとともに、印刷物１の作製に必要な演算処理及び画像処理等を行い、得られた結果を出力部４０４に与える。出力部４０４は、処理部４０２から与えられたデータを、外部の、例えば、図示されてない印刷機等に出力する。
【００４２】
このような作製装置を用いて、本実施の形態による印刷物１を作製する方法について、その手順を示した図６を用いて説明する。図６におけるステップＳ１１として、第１のハーフトーン領域３が形成する可視画像に対応する原画像として、第１の画像データである可視画像データを処理部４０２が作製するか、又は外部から可視画像データとして入力部４０１より入力し、処理部４０２を介して網点化された可視画像を記憶部４０３に格納する。次に、ステップＳ１２として、記憶部４０３に格納された可視画像データを基に、第１のハーフトーン領域３内に形成する第１の網点部３ａの位置、形状及び寸法を、処理部４０２を介して記憶部４０３に第１のハーフトーン領域３のデータとして格納する。
【００４３】
次に、ステップＳ１３として、第２のハーフトーン領域４が形成する潜像画像に対応する原画像として、第２の画像データである潜像画像データを処理部４０２が作製するか、又は外部から潜像画像データとして入力部４０１より入力し、処理部４０２を介して網点化された潜像画像を記憶部４０３に格納する。ステップＳ１４として第２のハーフトーン領域４のみをマスク処理したマスクデータを処理部４０２によって作製するか、又は外部からマスクデータとして入力部４０１より入力し、処理部４０２を介して記憶部４０３に格納する。ステップＳ１５として、記憶部４０３に格納された潜像画像データ及びマスク画像を基に、第２のハーフトーン領域４内に形成する第２の網点部４ａの位置、形状及び寸法を、処理部４０２を介して記憶部４０３に第２のハーフトーン領域４のデータとして格納する。
【００４４】
次に、ステップＳ１６として、前述までのステップで記憶部４０３に格納された第１のハーフトーン領域３のデータと、第２のハーフトーン領域４のデータを合成し、ステップＳ１７により、外部の印刷機等の出力部４０４から出力して印刷物１が完成する。前述のステップＳ１６により、２つのデータを合成する方法としては、２つのデータに共通する位置として、少なくとも任意の三つの点を、各々のハーフトーン領域データにおけるそれぞれの基準点に設定することで、二つのデータを合成する方法を用いる。なお、基準点の設定方法についての詳細は、特開２０１１−１４０２１７号において記載されていることから、省略する。
【００４５】
図７は、マスクデータを示す模式図である。マスクデータは、複数の第２のハーフトーン領域４へ、潜像画像６を配置する際に用いる画像である。マスクデータは、あらかじめ作製しておいた、フォーマットデータを用いて生成される。フォーマットデータとは、本発明における印刷物１を生成する、複数の第１のハーフトーン領域３及び複数の第２のハーフトーン領域４を、どのように配置するかを設計することで、フォーマットデータが生成される。フォーマットデータは、複数の画素によって構成される。フォーマットデータにおける、複数の第１のハーフトーン領域３の配置箇所の画素を白画素とし、複数の第２のハーフトーン領域４の配置箇所の画素のみを黒画素とすることで、マスクデータが生成される。マスクデータは、各原画像データの基準点と対応する基準点（Ｐ１、Ｐ２、Ｐ３）を有する。
【００４６】
マスク処理とは、潜像画像データに対して、マスクデータの白画素に対応する部分を全て白画素に置き換える処理を施すことで、潜像画像データのうち、複数の第１のハーフトーン領域３に相当する部分を全て白色に置き換えるものである。それにより、潜像画像データは、複数の第２のハーフトーン領域４内に配置された第２の網点部４ａのみから成る画像へと変換され、可視画像データ及び潜像画像データを形成する複数の各網点を、重なり合うことなく印刷領域内へ均等配置することが可能となる。
【００４７】
図８は、一例として潜像画像データを生成する、マスク処理を示す模式図である。マスク処理においては、処理部４０２へ入力した、図８（ａ）に示す、マスクデータの基準点（Ｐ１、Ｐ２、Ｐ３）と、図８（ｂ）に示す、マスクデータと対応する潜像画像データの基準点（Ｐ１’、Ｐ２’、Ｐ３’）とを合わせる。二つの画像データを合わせた際に、同じ位置となる二つの画素のうち、マスクデータを構成する画素が黒画素ならば、潜像画像データを構成する画素を残す。また、マスクデータを構成する画素が白画素ならば、潜像画像データを白画素とする。マスク処理を行うことで、潜像画像データのうち、第２のハーフトーン領域４に相当しない部分、つまり、第１のハーフトーン領域３を形成する画素は白画素となる。よって、図８（ｃ）に示す、複数の第２のハーフトーン領域４から成る潜像画像データが生成される。
【００４８】
（第２の実施の形態）  
第２の実施の形態における印刷物１について説明する。まず、第２の実施の形態における印刷物１と、第１の実施の形態における印刷物１の異なる点について説明する。第１の実施の形態では、第１の色材が透明又は基材と等色の色材を用いたため、第２のハーフトーン領域４内に第２の網点部４ａのみが配置されている。この場合、第２のハーフトーン領域４に形成された第２の網点部４ａと第２の網点部４ａが形成されていない、いわゆる、基材２表面が露出した領域が等色として観察されることを前提に説明したが、第１の色材が透明又は基材と等色であっても、第１の色材の基材２隠ぺい率、濃度及び色相や、第２の網点部４ａ表面からの光沢等の影響により、基材２と等色の第２の網点部４ａを形成することができない場合がある。そこで、第２の網点部４ａの隠ぺい性を向上させるために、第２の実施の形態においては、第２のハーフトーン領域４における第２の網点部４ａと隣接する位置にランタノイド系希土類化合物を含まず、かつ、通常光下において第１の色を有する第３の色材により第２の背景部４ｂを形成したものである。
【００４９】
まず、第１の実施の形態における印刷物１の第２の網点部４ａと第２の網点部４ａを除く基材２表面が露出した領域が、通常光下において等色として観察することができない場合について説明する。第２の網点部４ａは、前述した第１の実施の形態では、ランタノイド系希土類化合物を含有し、かつ、通常光下で透明又は基材と等色の第１の色材により形成しているが、このランタノイド系希土類化合物を含有する色材は、基材２への浸透等の影響により、第１の色材自体の色が透明又は基材２と等色の第１の色であっても、通常光下において基材２と等色の状態として第２の網点部４ａを形成することができないことがあり、その場合、図９に示すように、通常光下において印刷物１に形成された可視画像５と重なる位置に、うっすらと潜像画像６が観察される状態となる。
【００５０】
また、ランタノイド系希土類化合物を含有する第１の色材は、光沢性を有するため、基材２上に第２の網点部４ａを形成した際に、各々の第２のハーフトーン領域４内における第２の網点部４ａ表面の光沢度と、第２の網点部４ａを除く領域である、いわゆる、基材２表面が露出した領域の光沢度が異なることで、通常光下で印刷物１を傾けて観察した場合に、可視画像５上に潜像画像６がうっすらと観察されてしまうことがある。
【００５１】
そのため、第２の実施の形態では、図１０（ａ）の網点構成の拡大図に示すように、第２のハーフトーン領域４内における第２の網点部４ａの基材２の隠ぺい率、濃度及び色相や、第２の網点部４ａ表面からの光沢等の影響があっても潜像画像６を潜像化するため、第２のハーフトーン領域４における第２の網点部４ａと隣接する位置に、第２の背景部４ｂを更に有する。第２の背景部４ｂは、ランタノイド系希土類化合物を含まず、かつ、通常光下において第１の色材と等色の第３の色材により、第２の網点部４ａの濃度及び色相と、基材２の隠ぺい率に合わせた網点面積率で形成される。それにより、通常光下において、第２の網点部４ａと第２の背景部４ｂが等色で、かつ、同等の光沢度として観察されることで潜像画像６をより潜像化することができる。
【００５２】
第２の背景部４ｂは、第２の網点部と隣接する位置であれば、図１０（ａ）に示すように、第２のハーフトーン領域４における第２の網点部４ａ以外に配置されることに限定されず、例えば、図１０（ｂ）及び図１０（ｃ）に示すように、余白部４ｃがあっても良い。
【００５３】
なお、第１の実施の形態においては、第２の網点部４ａを通常光下で透明又は基材と等色の第１の色材により形成することで、第２のハーフトーン領域４における第２の網点部４ａと基材２表面が等色であると説明したが、第２の実施の形態における通常光下とは、前述した印刷物１を傾けて観察した場合も含む。よって、第２の実施の形態においては、基材２を水平の状態で視認した場合と傾けて視認した場合において、第２の網点部４ａと第２の背景部４ｂは、等色（色差ΔＥが６未満）で視認されることとする。
【００５４】
以上のように、第２の実施の形態では、第２のハーフトーン領域４に第１の色材により形成された第２の網点部４ａと第３の色材により形成された第２の背景部４ｂを形成することにより、印刷物１を傾けて観察した場合であっても第２の網点部４ａと第２の背景部４ｂにおいて光沢差が生じないことから、印刷領域全面において、各々の第２のハーフトーン領域４が全て同一の濃度及び色相となり、第１のハーフトーン領域３における画像要素３ａにおいて形成された可視画像６が観察される。
【００５５】
なお、本願発明に用いるランタノイド系希土類化合物を含有する第１の色材とランタノイド系希土類化合物を含有しない第３の色材を等色として観察できる状態とするためには、色材自体を等色として設定するだけでは、第１の色材における基材２への浸透性、基材２隠ぺい性等の影響により、基材２の色の影響を受けることがある。そのため、第２の実施の形態の印刷物１を作成するためには、第２のハーフトーン領域４データを作製する新たなステップが追加される。
【００５６】
図１１により、第２のハーフトーン領域４のデータを作製する新たなステップについて説明する。まず、図６のステップＳ１４までにより、記憶部４０３に格納された潜像画像データに基づき、図１１のステップＳ２１において第２のハーフトーン領域４に形成する第２の網点部４ａの位置、形状及び寸法を処理部により作製し、併せて第２の背景部４ｂの位置、形状及び寸法を処理部により作製する。
【００５７】
次に、ステップＳ２２として、第２の網点部４ａの基材隠ぺい性、濃度及び色相を入力部４０１より入力し、記憶部４０３に格納する。ステップＳ２３として、記憶部４０３に格納された第２の網点部４ａにおける基材２隠ぺい性、濃度及び色相のデータに基づき、第２の網点部４ａと第２の背景部４ｂを等色とするために、第２の背景部４ｂを形成する網点面積率を処理部４０２により作製し、記憶部４０３に格納する。
【００５８】
前述までのステップにより記憶部４０３に格納されたデータに基づき、ステップＳ２４にて、全ての第２のハーフトーン領域４データを作製し、以降については、前述した図６のステップＳ１６にて、第１のハーフトーン領域３のデータと合成され、ステップＳ１７にて印刷物を得る。
【００５９】
（第３の実施の形態）
第３の実施の形態について説明する。第３の実施の形態における印刷物１は、前述した第１の実施の形態及び第２の実施の形態と異なる構成として、第２のハーフトーン領域４内に形成する第２の網点部４ａを、前述した図４（ｂ）に示す、反転円形状とし、第２の背景部４ｂを、第２のハーフトーン領域４における中心を含む円形状の領域としたものである。図３（ｂ）は、第１の実施の形態及び第２の実施の形態で形成した印刷物１をカラー複写機で複写した複写物８を示す図である。
【００６０】
図３（ｂ）に示すように、潜像画像６は、画像領域６ａと背景領域６ｂから成る。画像領域６ａは、第２のハーフトーン領域４における第２の網点部４ａにより形成され、背景領域６ｂは、第１のハーフトーン３領域及び第２の網点部４ａが形成されていない、いわゆる、基材２表面が露出した領域（第２の背景部４ｂ）により形成される。複写物８は、第２の網点部４ａと第１のハーフトーン領域３は、等色として視認されるため、第２のハーフトーン領域４における基材２表面が露出した領域のみが異なる色として観察されることで第２のハーフトーン領域４内に形成された第２の網点部４ａによって画像領域６ａが形成されていることから、画像領域６ａの中に、背景領域６ｂの一部を形成する第１のハーフトーン領域３が混在した状態となるため、画像領域６ａ及び背景領域６ｂ全体にわたり、第１の色と第２の色が混色した状態として視認される。
【００６１】
第３の実施の形態では、第２のハーフトーン領域４に形成する第２の網点部４ａを、図４（ｂ）に示す第２のハーフトーン領域４の中心を除く外側である、いわゆる、反転円形状として形成している。前述した反転円形状として第２の網点部４ａを形成することにより、各々の第２のハーフトーン領域４に形成された第２の網点部４ａと第１のハーフトーン領域３の間に第２の背景部４ｂが存在することがなくなることで、背景領域６ｂに形成される第２の色を有する第１のハーフトーン領域が強調されることなく潜像画像６を観察することができる。
【００６２】
第３の実施の形態における印刷物１を通常光下で観察した場合の網点構成及び可視画像５と、印刷物１をカラー複写機で複写した複写物８における網点構成及び潜像画像６について、図１２及び図１３を用いて説明する。
【００６３】
図１２（ａ）は、第３の実施の形態における印刷物１を通常光下で観察した場合に観察される網点構成を拡大したものであり、第２のハーフトーン領域４に形成された反転円形状の第２の網点部４ａは、ランタノイド系希土類化合物を含有し、かつ、第１の色を有する第１の色材により形成され、第２の背景部４ｂは、ランタノイド系希土類化合物を含まず、かつ、第１の色を有する第３の色材により形成することで、第２のハーフトーン領域４における第２の網点部４ａ及び第２の背景部４ｂは、第１の色として観察される。
【００６４】
第１のハーフトーン領域３における第１の網点部３ａは、前述した第１の実施の形態及び第２の実施の形態と同様に、第２の色を有し、かつ、ランタノイド系希土類化合物を含有しない第２の色材により形成し、第１の背景部３ｂを第１の色材により形成したものである。この印刷物１を通常光下で観察した場合、第１の色材により形成された、第１のハーフトーン領域３における第１の背景部３ｂ及び第２のハーフトーン領域４における第２の網点部４ａと、第３の色材により形成された第２のハーフトーン領域４における第２の背景部４ｂは、第１の色として観察されるため、これら三つの領域は、等色として観察される。一方、第１のハーフトーン領域３における第１の網点部３ａは、第２の色を有する第２の色材により形成しているため、図１２（ｂ）に示すように、第１の網点部３ａにより形成された可視画像５が観察される。
【００６５】
図１３（ａ）は、第３の実施の形態における印刷物１をカラー複写機により複写した複写物８における網点構成を拡大したものであり、第２のハーフトーン領域４における第２の網点部４ａは、第１の色材の変色効果により、第２の背景部４ｂと異なる第２の色へと変化する。
【００６６】
また、第１のハーフトーン領域３における第１の網点部３ａは、ランタノイド系希土類化合物を含有しない第２の色材により形成されているため、複写物８においても色変化することなく、第２の色として観察されるが、第１のハーフトーン領域３における第１の背景部３ｂは、第１の色材により形成しているため、前述した第２のハーフトーン領域４における第２の網点部４ａと同様に、第２の色へと変化する。
【００６７】
この複写物８を観察した状態を示すのが図１３（ｂ）である。図１３（ｂ）に示すように、潜像画像６は、画像領域６ａと背景領域６ｂから成る。第３の実施の形態において画像領域６ａは、第２の網点部４ａにより形成され、背景領域６ｂは、第１のハーフトーン領域３及び第２の背景部４ｂにより形成される。第２のハーフトーン領域４に形成された反転円形状の第２の網点部４ａと第１のハーフトーン領域３に形成された第１の網点部３ａ及び第１の背景部３ｂが等色として観察され、かつ、第１の実施の形態及び第２の実施の形態のように、各々の第２の網点部４ａと第１のハーフトーン領域３の間に第２の背景部４ｂが介在することなく、等色となる領域が隣接して形成されることから、第２のハーフトーン領域４における第２の網点部４ａにより、可視画像５と全く異なる潜像画像６が鮮明に観察される。
【００６８】
（第４の実施の形態）
第４の実施の形態について、その構成を示した図１４を用いて説明する。図１４（ａ）は、第４の実施の形態における網点構成を示す模式図であり、図１４（ｂ）は、前述した第２の実施の形態における網点構成を示す模式図である。第４の実施の形態は、前述した第１の実施の形態、第２の実施の形態及び第３の実施の形態で共通する構成であった、ランタノイド系希土類化合物を含有する第１の色材を用いることで、印刷物１をカラー複写機で複写した複写物８に潜像画像６を出現させる方法以外の構成である。なお、第１のハーフトーン領域３における第１の網点部３ａ及び第１の背景部３ｂと、第２のハーフトーン領域４における第２の網点部４ａ及び第２の背景部４ｂの位置関係は、一例として、前述した第２の実施の形態と同様の配置とした。
【００６９】
図１４（ａ）に示すように、第４の実施の形態においては、ランタノイド系希土類化合物を含有する基材２´上に、ランタノイド系希土類化合物を含有せず、かつ、基材２´の色を、通常光下から三波長光源下へ観察条件を変えても所定の値以上の変化をさせない隠ぺい材料から成る隠ぺい層７と、隠ぺい層７の上に、少なくとも二つの色材により形成された画像形成層１１が形成される。
【００７０】
隠ぺい層７は、基材２´を隠ぺいする隠ぺい材料を施した第１の隠ぺい領域９及び第２の隠ぺい領域１０を複数有する。複数の第１の隠ぺい領域９は、基材２´を隠ぺいする隠ぺい材料のみを施した第１の隠ぺい領域９ａ及び基材２´を一部露出させる隠ぺい材料を施さない領域９ｂを有する。また、複数の第２の隠ぺい領域１０は、基材２´を隠ぺいする隠ぺい材料のみを施した第２の隠ぺい領域１０ｂ及び基材２´を一部露出させる隠ぺい材料を施さない領域１０ａを有する。
【００７１】
隠ぺい材料を施す領域（９ａ、１０ｂ）を形成する隠ぺい材料については、白インキ等を用いることが可能であるが、基材２´を通常光下から三波長光源下へ観察条件を変えても所定の値以上の色変化させない材料であればこれに限定されず、いかなる材料で形成しても良い。なお、所定の値以上の色変化とは、隠ぺい材料を施す領域（９ａ、１０ｂ）を通常光下で観察した際の色と、三波長光源下で観察した際の色の色差ΔＥが６以上となることをいう。隠ぺい材料に用いることが可能な白インキには、オフセット印刷用ＵＶインキとしてＤＩＣ株式会社製  ダイキュアＲＴＸ  白、インクジェット印刷用ＵＶインクとして東洋インキ製造株式会社製  ＬＩＯＪＥＴ  ＦＶ０３  ホワイト等がある。
【００７２】
画像形成層１１は、第１のハーフトーン領域３と第２のハーフトーン領域４とが隣接するように複数配置されている。第１のハーフトーン領域３は、第１の隠ぺい領域９と同一形状であり、かつ、同じ位置に配置され、潜像画像６の一部のみを形成する第１の網点部３ａ又は第１の背景部３ｂのいずれか一方と、可視画像５及び潜像画像６の一部を形成する第１の網点部３ａ又は第１の背景部３ｂの他方とを有する。なお、前述のとおり第４の実施の形態においては、第２の実施の形態と同様の配置とすることから、第１のハーフトーン領域３は、潜像画像６の一部及び可視画像５を形成する第１の網点部３ａと、第１の網点部３ａと隣接する位置に潜像画像６の一部のみを形成する第１の背景部３ｂとを有する構成とする。
【００７３】
第１の網点部３ａは、第１の隠ぺい領域９における隠ぺい材料を施す領域９ａと同一形状であり、かつ、同じ位置に配置される。さらに、第１の網点部３ａは、ランタノイド系希土類化合物を含有せず、通常光下において基材２´とは異なる色であり、かつ、基材２´を三波長光源下で観察した場合の色と等色となる第２の色材により形成される。
【００７４】
また、第１の背景部３ｂは、第１の隠ぺい領域９における隠ぺい材料が施されない領域９ｂと同一形状であり、かつ、同じ位置に配置されたことで基材２´を一部露出して形成される。
【００７５】
第２のハーフトーン領域４は、第２の隠ぺい領域１０と同一形状であり、かつ、同じ位置に配置され、潜像画像６の一部を形成する第２の網点部４ａ及び第２の背景部４ｂを有する。なお、前述のとおり、第４の実施の形態においては、第２の実施の形態と同様の配置とすることから、第２のハーフトーン領域４は、潜像画像６の一部を形成する第２の網点部４ａと、第２の網点部４ａと隣接する位置に潜像画像６の背景を形成する第２の背景部４ｂとを有する構成とする。
【００７６】
第２の網点部４ａは、第２の隠ぺい領域１０における隠ぺい材料が施されない領域１０ａと同一形状であり、かつ、同じ位置に配置されたことで基材２´を一部露出して形成される。
【００７７】
また、第２の背景部４ｂは、第２の隠ぺい領域１０における隠ぺい材料を施す領域１０ｂと同一形状であり、かつ、同じ位置に配置される。さらに、第２の背景部４ｂは、ランタノイド系希土類化合物を含有せず、かつ、基材２´を通常光下で観察した場合の色と等色となる第３の色材により形成される。
【００７８】
このように、第４の実施の形態においては、隠ぺい層７を構成する各隠ぺい領域（９、１０）における隠ぺい材料を施す領域（９ａ、１０ｂ）の、それぞれの位置関係、形状及び大きさが、第１のハーフトーン領域３における第１の網点部３ａ及び第２のハーフトーン領域４における第２の背景部４ｂに対応した構成となっているため、第１の隠ぺい領域９における隠ぺい材料を施す領域９ａ上に第１のハーフトーン領域３における第１の網点部３ａが形成され、第２の隠ぺい領域１０における隠ぺい材料を施す領域１０ｂ上に第２のハーフトーン領域４における第２の背景部４ｂが形成される。
【００７９】
ここで、前述した第２の実施の形態及び第３の実施の形態の印刷物１における網点構成と、第４の実施の形態における印刷物１の網点構成の違いを比較するため、比較例として、第１のハーフトーン領域３における第１の網点部３ａ及び第１の背景部と、第２のハーフトーン領域４における第２の網点部４ａ及び第２の背景部４ｂの位置関係が同じである第２の実施の形態の印刷物１における網点構成について、図１４（ｂ）の１つの第１のハーフトーン領域３及び第２のハーフトーン領域４を拡大した断面図を用いて説明する。第２の実施の形態における印刷物１は、基材２上に複数の第１のハーフトーン領域３と第２のハーフトーン領域４を有し、第１のハーフトーン領域３には、印刷物１をカラー複写機で複写した場合の複写物８において、第２の色材により形成された第１の網点部３ａと、第１の網点部３ａと等色として観察される第１の色材により形成された第１の背景部３ｂとを有し、第２のハーフトーン領域４には、通常光下で観察した場合に第２の背景部４ｂと等色として観察される第１の色材により形成された第２の網点部４ａと、第３の色材によって形成された第２の背景部４ｂを有する。
【００８０】
図１４（ｂ）のように、基材２上の第１のハーフトーン領域３内に第１の網点部３ａと第１の背景部３ｂが形成され、第２のハーフトーン領域４内に第２の網点部４ａ及び第２の背景部４ｂを形成することで、通常光下では、第１のハーフトーン領域３に形成された第１の背景部３ｂと第２のハーフトーン領域４に形成された第２の網点部４ａ及び第２の背景部４ｂが等色として観察され、第１のハーフトーン領域３に形成した第１の網点部３ａが異なる色として観察されることから、可視画像５が観察され、印刷物１をカラー複写機により複写した複写物８では、第１のハーフトーン領域３に形成された第１の網点部３ａ及び第１の背景部３ｂと、第２のハーフトーン領域４に形成された第２の網点部４ａが等色として観察され、第２のハーフトーン領域４に形成した第２の背景部４ｂが異なる色として観察されることで、可視画像５と異なる潜像画像６が観察されるものである。
【００８１】
一方、第４の実施の形態では、基材２´自体にランタノイド系希土類化合物を含有させることで印刷物１をカラー複写機により複写した複写物８に潜像模様６を出現させる構成である。よって、図１４（ａ）に示す１つの第１のハーフトーン領域３及び第２のハーフトーン領域４を拡大した断面図のように、ランタノイド系希土類化合物の変色効果を部分的に隠ぺいする必要があるため、第１のハーフトーン領域３における第１の網点部３ａに対応する位置と、第２のハーフトーン領域４における第２の背景部４ｂに対応する位置に各隠ぺい領域（９、１０）における隠ぺい材料を施す領域（９ａ、１０ｂ）をそれぞれ形成し、その各隠ぺい材料を施す領域（９ａ、１０ｂ）上の対応する位置に第１の網点部３ａ及び第２の背景部４ｂをそれぞれ形成した構成である。
【００８２】
なお、可視画像５及び潜像画像６のデザインによっては、各ハーフトーン領域（３、４）内において、各網点部（３ａ、４ａ）を有しない場合がある。その場合には、各網点部（３ａ、４ａ）を有しない各ハーフトーン領域（３、４）と対応する位置に配置される複数の各隠ぺい領域（９、１０）は、基材２´を隠ぺいする隠ぺい材料のみを施した第１の隠ぺい領域（図示せず）又は第２の隠ぺい領域（図示せず）となる。
【００８３】
第４の実施の形態の印刷物１を通常光下で観察した場合、基材２´を一部露出することにより形成された第１の背景部３ｂ及び第２の網点部４ａと、第３の色材により形成された第２の背景部４ｂは、全て等色として観察されることから、第２の色材により形成された第１の網点部３ａによって形成された可視画像５が観察される。
【００８４】
一方、印刷物１をカラー複写機により複写した複写物８は、基材２´表面が露出している第１のハーフトーン領域３における第１の背景部３ｂ及び第２のハーフトーン領域４における第２の網点部４ａの色が第１の色から第２の色へと変化することから、第２のハーフトーン領域４における第２の背景部４ｂと、第１のハーフトーン領域３及び第２のハーフトーン領域４における第２の網点部４ａの色が異なり、可視画像５と全く異なる潜像画像６が出現する。よって、複写物８を偽造品として用いることを不可能な状態とすることができる。
【００８５】
なお、前述した第１の実施の形態、第２の実施の形態、第３の実施の形態及び第４の実施の形態では、第１のハーフトーン領域３よりも第２のハーフトーン領域４が大きい状態の例で説明したが、図１５（ａ）のように、第１のハーフトーン領域３と第２のハーフトーン領域４の大きさが同一であっても良く、図１５（ｂ）のように、第１のハーフトーン領域３よりも第２のハーフトーン領域４が小さい状態であっても同様の効果を得る。
【符号の説明】
【００８６】
１          印刷物
２、２´          基材
３          第１のハーフトーン領域
３ａ          第１の網点部
３ｂ          第１の背景部
４          第２のハーフトーン領域
４ａ          第２の網点部
４ｂ          第２の背景部
４ｃ          余白部
５          可視画像
６          潜像画像
７          隠ぺい層
８          複写物
９          第１の隠ぺい領域
１０          第２の隠ぺい領域
１１          画像形成層
【図１】
0005750699.tif 000002
【図２】
0005750699.tif 000003
【図３】
0005750699.tif 000004
【図４】
0005750699.tif 000005
【図５】
0005750699.tif 000006
【図６】
0005750699.tif 000007
【図７】
0005750699.tif 000008
【図８】
0005750699.tif 000009
【図９】
0005750699.tif 000010
【図１０】
0005750699.tif 000011
【図１１】
0005750699.tif 000012
【図１２】
0005750699.tif 000013
【図１３】
0005750699.tif 000014
【図１４】
0005750699.tif 000015
【図１５】
0005750699.tif 000016